(57)【要約】【課題】光ディスクに貼付されるＩＣタグの読み取り性能を改善する。【解決手段】光ディスク載置棚１０は、ＩＣタグが設けられた光ディスクが並べて載置される棚板１２と、仕切り板１８ａ〜１８ｆと、を有する。ＩＣタグは、光ディスクの中央孔と記憶部との間の非記憶部に設けられる。仕切り板１８ａ〜１８ｆには、ループアンテナ素子２２ａ〜２２ｆがそれぞれ設けられる。各ループアンテナ素子２２ａ〜２２ｆは、その近傍に光ディスクが載置された場合にそのループアンテナ素子とその光ディスクのＩＣタグとが対向するよう棚板１２上に設置されている。各ループアンテナ素子２２ａ〜２２ｆは隣のループアンテナ素子と流れる電流の極性が揃うように電気的に接続される。【選択図】図１
2011165293.tif 000002
【特許請求の範囲】
【請求項１】
ＩＣタグが設けられた光ディスクが並べて載置される棚板と、
ループ形状の複数のアンテナ素子であって各アンテナ素子の近傍に光ディスクが載置された場合にそのアンテナ素子とその光ディスクのＩＣタグとが対向するよう前記棚板上に設置されている複数のアンテナ素子と、を備え、
各アンテナ素子は隣のアンテナ素子と流れる電流の極性が揃うように電気的に接続されることを特徴とするディスク載置棚。
【請求項２】
各アンテナ素子は、光ディスク間を仕切るための仕切り板に設けられていることを特徴とする請求項１に記載のディスク載置棚。
【請求項３】
前記棚板に載置される光ディスクのＩＣタグは、その光ディスクの中央孔と記憶部との間の非記憶部に設けられ、
各アンテナ素子は、そのアンテナ素子の近傍に光ディスクが載置された場合その光ディスクの対向する面に投影した写像がその光ディスクの記憶部と非記憶部との境界を含むドーナツ状の領域に含まれるように形成されていることを特徴とする請求項１または２に記載のディスク載置棚。
【請求項４】
前記棚板は、アンテナ素子とＩＣタグとが対向する位置に光ディスクを位置決めする位置決め機構を含むことを特徴とする請求項１から３のいずれかに記載のディスク載置棚。
【請求項５】
前記複数のアンテナ素子のうちのひとつのアンテナ素子とその隣のアンテナ素子との間には複数の光ディスクが載置されていることを特徴とする請求項１から４のいずれかに記載のディスク載置棚。
【請求項６】
ＩＣタグが設けられた光ディスクが並べて載置される棚板と、
前記棚板上に設けられ、複数回巻回されたコイルと、を備え、
前記コイルは、それぞれが少なくともひとつのループを含む複数のループ部分に分割され、
隣接するループ部分の間には、当該隣接するループ部分のうちの少なくとも一方とＩＣタグとが対向するように光ディスクが載置されることを特徴とするディスク載置棚。
【請求項７】
請求項１から５のいずれかに記載のディスク載置棚と、
前記複数のアンテナ素子に対する一回の給電で前記棚板に載置される複数の光ディスクのＩＣタグから情報を読み取るＩＣタグ読み取り装置と、を備えるディスク管理システム。
【発明の詳細な説明】
【技術分野】
【０００１】
本発明は、ディスク載置棚およびディスク管理システムに関し、特に光ディスクに取り付けられたＩＣタグを読み取る技術に関する。
【背景技術】
【０００２】
従来、管理したい物品に該物品情報を記憶させたＩＣタグを具備させて、該ＩＣタグと非接触に通信を行うハンディリーダによる管理システムや、収納棚に該ＩＣタグとの通信を行うためのアンテナを具備させた物品管理システムが知られている。
【０００３】
一方、管理したい物品は多品種にわたるものの、ＩＣタグは金属物への貼付（近傍）や、複数のＩＣタグ同士の姿勢（重なりや、積層状態）によって通信性能の低下が生じるため、その貼付対象となる物品や物品の配置方法による制約があった。
【０００４】
ＩＣタグの読取性能が低下する主な理由は、
（１）金属物への貼付：金属表面に生成される渦電流の反磁界による読取性能低下、
（２）ループ状の金属物：金属物自体がアンテナになり反磁界が発生することにより読取性能が低下、
（３）ＩＣタグ同士の姿勢：ＩＣタグ同士が近づくと、ＩＣタグ同士の干渉によりＩＣタグの共振周波数のズレが起こり読取性能低下、
である。
このような読取性能低下の要因から、これらの管理システムで最も管理（物品に取り付けられたＩＣタグとの通信）が難しい物品の代表例として、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等の光ディスク記録媒体が挙げられる。
【０００５】
光ディスクに貼付されたＩＣタグが管理し難い主な理由は以下の通りである。
（甲）光ディスクは、その表面の記録層が金属膜で構成された電気的にドーナツ型の閉ループ形状から構成されている（すなわち、上記（１）および（２））。
（乙）光ディスクの厚みは１．２（ｍｍ）と薄く、ＩＣタグを光ディスク自体の側面に貼付するのはサイズ的に難しく、また再生、記録時の回転ブレなどの不具合の原因となりうる。また、レーベル面へのＩＣタグの貼付も、回転ブレの要因となる以外に、ＩＣタグの貼付に使用される接着剤が、長期保存時の基板面への変形要因となりうる。そこで、ＩＣタグは内径の非記憶部に貼付されることが好ましいが、光ディスクは、ループ状の金属物であるため、このループの中心軸と内径に貼付するＩＣタグのアンテナの中心軸が略同一上に存在することになる（すなわち、上記（２））。
（丙）光ディスクは、昨今１０（ｍｍ）厚から５（ｍｍ）厚の薄いケースによる収納が主流となってきており、ＩＣタグ付き光ディスクを収容する場合、ＩＣタグ同士が非常に近接して積層状に配列されることになる（すなわち、上記（３））。
【０００６】
このようなＣＤやＤＶＤ等の光ディスク記憶媒体の管理システムとしては、例えば特許文献１に記載の通信システムが提案されている。また、特許文献２には郵便物の管理システムが記載されている。
【先行技術文献】
【特許文献】
【０００７】
【特許文献１】特開２００５−３３９１７０号公報
【特許文献２】特開２００２−０３７４２５号公報
【発明の概要】
【発明が解決しようとする課題】
【０００８】
特許文献１や特許文献２で提案されているシステムでは、光ディスクの非記憶部にＩＣタグを貼付し、該ＩＣタグとの通信を行う読取用のアンテナを光ディスクに１対１で対応させるように複数配列していると考えられる。
【０００９】
このような従来の技術について、本発明者は以下の課題を認識した。
（課題１）
読取用アンテナとＩＣタグとが１対１で対応するように読取用アンテナを駆動する場合、読取や応答に時間を要したり、コストが高くなる。
（その理由）
読取用アンテナとＩＣタグとが１対１で対応するように読取用アンテナを設ける場合、読取用アンテナの切替えが必要となる。この場合、１台のリーダで制御できるＩＣタグの量が限られているため、複数のリーダが必要になったり、切替に要する時間分余計に読み取りに時間がかかることになる。
【００１０】
（課題２）
読取用アンテナとＩＣタグとが１対１で対応するように読取用アンテナを設けても、正確な位置検出ができない。
（その理由）
１つの読取用アンテナの両サイドにＩＣタグ付き光ディスクが配置されることがある。したがって正確にどの読取用アンテナで認識したかを判断するためには、一方向（対応する光ディスクの存在する方向）にのみ電磁波を放出するようなシールド機構が必要となる。
また、ＩＣタグは、中央部に孔を有する導電性金属膜で構成されている光ディスクと中心軸が略同一に構成されている。したがって、光ディスクがブースタアンテナとなり、光ディスクを介して隣接読取用アンテナにも電磁波が誘導されるので、正確な位置を判断することができない。
【００１１】
（課題３）
正確な位置検出のためのシールド材を設置する場合、収容量が減少する。
（その理由）
読取用アンテナの一方にのみ電磁波を放出するように他方にシールド構造を構成すると、シールド材と読取用アンテナとの距離が短い場合、読取性能が低下しうる。そのため、シールド材と読取用アンテナの間の離間距離を確保する必要があり、仕切り板厚みが厚くなるため、収容量が低下しうる。
【００１２】
本発明はこうした状況に鑑みてなされたものであり、その目的は光ディスクに設けられるＩＣタグの読み取り性能を改善するディスク管理技術の提供にある。
【課題を解決するための手段】
【００１３】
本発明のある態様は、ディスク載置棚に関する。このディスク載置棚は、ＩＣタグが設けられた光ディスクが並べて載置される棚板と、ループ形状の複数のアンテナ素子であって各アンテナ素子の近傍に光ディスクが載置された場合にそのアンテナ素子とその光ディスクのＩＣタグとが対向するよう棚板上に設置されている複数のアンテナ素子と、を備える。各アンテナ素子は隣のアンテナ素子と流れる電流の極性が揃うように電気的に接続される。
【００１４】
この態様によると、より速くＩＣタグを読み取ることができる。
【００１５】
本発明の別の態様もまた、ディスク載置棚である。このディスク載置棚は、ＩＣタグが設けられた光ディスクが並べて載置される棚板と、棚板上に設けられ、複数回巻回されたコイルと、を備える。コイルは、それぞれが少なくともひとつのループを含む複数のループ部分に分割され、隣接するループ部分の間には、当該隣接するループ部分のうちの少なくとも一方とＩＣタグとが対向するように光ディスクが載置される。
【００１６】
本発明の別の態様は、ディスク管理システムである。このディスク管理システムは、上記のディスク載置棚と、複数のアンテナ素子に対する一回の給電で棚板に載置される複数の光ディスクのＩＣタグから情報を読み取るＩＣタグ読み取り装置と、を備える。
【００１７】
なお、以上の構成要素の任意の組み合わせや、本発明の構成要素や表現を方法、装置、システムなどの間で相互に置換したものもまた、本発明の態様として有効である。
【発明の効果】
【００１８】
本発明によれば、光ディスクに設けられるＩＣタグの読み取り性能を改善できる。
【図面の簡単な説明】
【００１９】
【図１】実施の形態に係る光ディスク載置棚を示す斜視図である。
【図２】図１のアンテナ部分を示す斜視図である。
【図３】図１のアンテナ部分の繰り返しユニットを示す斜視図である。
【図４】ＩＣタグが貼付された光ディスクの上面図である。
【図５】ＩＣタグの構成を示す上面図である。
【図６】図１のループアンテナ素子と光ディスクに貼付されたＩＣタグとの位置関係を示す説明図である。
【図７】図１のループアンテナ素子と延伸アンテナ素子と隣接素子接続配線との接続関係を示す説明図である。
【図８】図１の光ディスク載置棚への光ディスクが入ったディスクケースの収容例を示す正面図である。
【図９】重要記録の保存室に光ディスク載置棚が適用された場合を説明するための説明図である。
【図１０】変形例に係るループアンテナ素子と光ディスクに貼付されたＩＣタグとの位置関係を示す説明図である。
【発明を実施するための形態】
【００２０】
以下、本発明を好適な実施の形態をもとに図面を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００２１】
実施の形態に係る光ディスク載置棚は、ＩＣタグが貼付されたＣＤ、ＤＶＤ、追記型のＣＤ／ＤＶＤ、ＢＤ（Ｂｌｕ−ｒａｙ  Ｄｉｓｃ）−Ｒなどの光ディスクを収容、管理するために使用される。光ディスク載置棚の各仕切り板にはＩＣタグと対向するループアンテナ素子が設けられる。それらのループアンテナ素子は隣り合うループアンテナ素子と流れる電流の極性が揃うように順次接続される。そのように接続されたループアンテナ素子にＩＣタグリーダが一括して給電することにより、光ディスク載置棚上に載置されている光ディスクのＩＣタグを一度に読み取ることができる。これにより素早く確実に目的の光ディスクの存否や棚板上に載置された光ディスクに関する情報を得ることができる。
【００２２】
本発明者の実験によると、実施の形態に係る光ディスク載置棚について、アンテナのドライバの出力は１（Ｗ）、ＤＶＤ−Ｒが収められたＤＶＤケースの厚さは５（ｍｍ）という条件の下では、ＤＶＤ−Ｒ３５枚程度であればそれらのＩＣタグを問題なく一度で読み取ることができることが確認された。
【００２３】
図１は、実施の形態に係る光ディスク載置棚１０を示す斜視図である。光ディスク載置棚１０はディスクケース２に入った光ディスク（図１では不図示）を収容する。光ディスク載置棚１０は、棚板１２と、背面板１４と、側面板１６と、仕切り板１８ａ〜１８ｆと、を備える。ＩＣタグが貼付された光ディスクが入ったディスクケース２は、棚板１２上に縦置きの状態で間口方向（棚板１２の間口が延在する方向、図１のｘ方向）に並べて載置される。ディスクケース２は、市場に広く流通している１０（ｍｍ）厚で縦横１４１（ｍｍ）×１２５（ｍｍ）の大きさのプラスチック製のものであってもよい。あるいはまた、ディスクケース２は、市場に広く流通している５（ｍｍ）厚のものであってもよい。
背面板１４、側面板１６、仕切り板１８ａ〜１８ｆは、棚板１２のディスクケース２が載置されるディスク載置面１２ａ上に設けられる。
【００２４】
各仕切り板１８ａ〜１８ｆは、棚板１２と一体に形成された光ディスク間を仕切るための仕切り板であり、間口方向に沿って所定の間隔Ｌ１で設けられている。各仕切り板１８ａ〜１８ｆの厚さは約１（ｍｍ）、縦横は１３０（ｍｍ）×１１０（ｍｍ）であってもよい。所定の間隔Ｌ１は、１０（ｍｍ）厚規格のディスクケースひとつまたは５（ｍｍ）厚規格のディスクケース２つが縦置きで収まる間隔、例えば１１（ｍｍ）に設定されてもよい。
【００２５】
仕切り板１８ａは、ループアンテナ素子２２ａと、延伸アンテナ素子２８ａと、を含む。
延伸アンテナ素子２８ａは、ループアンテナ素子２２ａの両端を棚板１２に向けて延伸する２本の直線状素子を有する。ループアンテナ素子２２ａおよび延伸アンテナ素子２８ａは、例えば５（ｍｍ）幅の銅箔から一体に形成される。ループアンテナ素子２２ａおよび延伸アンテナ素子２８ａが仕切り板１８ａのディスクケース２と対向する面１８０ａに形成された後その上から絶縁および保護用の膜を施してもよいし、仕切り板１８ａが複数層から形成される場合は内部の層にそれらのアンテナ素子を形成してもよい。仕切り板１８ｂ〜１８ｆについても同様である。すなわち仕切り板１８ｂはループアンテナ素子２２ｂ（図１では不図示）と延伸アンテナ素子２８ｂ（図１では不図示）とを含み、仕切り板１８ｃはループアンテナ素子２２ｃと延伸アンテナ素子２８ｃとを含み、仕切り板１８ｄはループアンテナ素子２２ｄと延伸アンテナ素子２８ｄとを含み、仕切り板１８ｅはループアンテナ素子２２ｅと延伸アンテナ素子２８ｅとを含み、仕切り板１８ｆはループアンテナ素子２２ｆと延伸アンテナ素子２８ｆとを含む。
【００２６】
ループアンテナ素子２２ａは、一巻きのループ形状のアンテナ素子であって、棚板１２側で両端が延伸アンテナ素子２８ａの２本の直線状素子とそれぞれ接続される。ループアンテナ素子２２ａは、隣のスロット３０ａに光ディスクが入ったディスクケース２が載置された場合に、ループアンテナ素子２２ａとその光ディスクのＩＣタグとが対向するよう棚板１２上に設置されている。特にループアンテナ素子２２ａは、仕切り板１８ａのディスクケース２と対向する面１８０ａと実質的に平行となるよう形成される。ループアンテナ素子２２ｂ〜２２ｆについても同様である。ループアンテナ素子が形成される位置のさらなる詳細については後述する。なお、左端のループアンテナ素子２２ａの一端は延伸アンテナ素子２８ａの直線状素子を介して図示しない第１給電端子と接続される。
【００２７】
棚板１２は、隣り合う仕切り板に設けられたループアンテナ素子間を接続する隣接素子接続配線２４ａ〜２４ｅと、間口方向に直線状に延びるリターン配線２６と、ストッパ２０ａ〜２０ｅと、を含む。隣接素子接続配線２４ｃは、隣接するループアンテナ素子２２ｃとループアンテナ素子２２ｄとをそれらに流れる電流の極性が揃うように電気的に接続する。隣接素子接続配線２４ａ、２４ｂ、２４ｄ、２４ｅについても同様である。リターン配線２６は、右端のループアンテナ素子２２ｆの一端と図示しない第２給電端子とを接続する。
【００２８】
棚板１２の第１給電端子および第２給電端子は図示しないＩＣタグリーダに接続される。ＩＣタグリーダは、第１給電端子、第２給電端子間に対する一回の給電で棚板１２に載置される光ディスク４のＩＣタグから情報を読み取る。光ディスク載置棚１０とＩＣタグリーダとは光ディスク管理システムを構成する。
なお、一回の給電でＩＣタグから情報を読み取ることは、アンテナの切替がないことすなわちＩＣタグを読み取るためにアンテナを切り替えなくてもよいことを含む。
【００２９】
ストッパ２０ａ〜２０ｅは、棚板１２のディスク載置面１２ａ上に設けられる。ストッパ２０ａは、対応するループアンテナ素子２２ａとＩＣタグとが対向する位置にディスクケース２すなわちディスクケース２に入っている光ディスクを位置決めする。光ディスクの間口方向に沿っての移動は仕切り板１８ａ、１８ｂによって制限されているので、ストッパ２０ａは特にループアンテナ素子２２ａが形成される面、図１の例ではｙｚ平面、と平行な方向について光ディスクを位置決めする。これにより、例えば振動やディスクケース２を入れた者の不注意によってディスクケース２が棚板１２上の所定の位置からずれ、ＩＣタグの位置がループアンテナ素子に対してずれた状態となる可能性を低減できる。その結果、ＩＣタグの読み取りミスを軽減できる。ストッパ２０ｂ〜２０ｅについても同様である。
【００３０】
図２は、図１のアンテナ部分を示す斜視図である。光ディスク載置棚１０においてＩＣタグと通信するために給電されるアンテナは、ループアンテナ素子２２ａ〜２２ｆと延伸アンテナ素子２８ａ〜２８ｆと隣接素子接続配線２４ａ〜２４ｅとリターン配線２６とを含み、一筆書きできる形状に形成されている。これを見方を変えて表現すると、複数回、図２の例では６回、巻回されたコイル３２が棚板１２上に設けられていると言える。またコイル３２は、それぞれが少なくともひとつのループを含む複数の、図２の例では６つのループ部分に分割される。各ループアンテナ素子は、このループ部分のうちのひとつに対応する。したがって以降、ループ部分にはそれに対応するループアンテナ素子と同じ符号を付す。隣接するループ部分の間には、当該隣接するループ部分のうちの少なくとも一方とＩＣタグとが対向するように光ディスクが載置される。例えばループ部分２２ｂとループ部分２２ｃとの間のスロット３０ｂにはループ部分２２ｂとＩＣタグとが対向するように光ディスクが入ったディスクケース２が載置される。
【００３１】
図３は、図１のアンテナ部分の繰り返しユニットを示す斜視図である。光ディスク載置棚１０においてＩＣタグと通信するために給電されるアンテナは、ループアンテナ素子３４と延伸アンテナ素子３６と隣接素子接続配線３８とを含むユニットを間口方向に沿って繰り返し配置した部分を含む。
【００３２】
ループアンテナ素子とＩＣタグとの位置関係を説明する。
図４は、ＩＣタグ６が貼付された光ディスク４の上面図である。光ディスク４の直径は市場に広く流通しているものと同様の１２０（ｍｍ）であってもよい。光ディスク４は、回転軸を中心とするクランプ用の中央孔４ａと、導電性金属膜で形成された記録領域である記憶部４ｃと、中央孔４ａと記憶部４ｃとの間の金属膜が形成されていない領域である非記憶部４ｂと、を有する。ＩＣタグ６は非記憶部４ｂ上に貼付されている。ＩＣタグ６は、名称や含まれるコンテンツの内容などの光ディスク４に関する情報を記憶する。中央孔４ａの直径は市場に広く流通しているものと同様の１５（ｍｍ）であってもよい。
【００３３】
図５は、ＩＣタグ６の構成を示す上面図である。ＩＣタグ６は、円環状のフィルム６ｃと、フィルム６ｃ上に固定された２重ループ形状のタグアンテナ６ａと、同じくフィルム６ｃ上に固定されタグアンテナ６ａの両端と接続されるＩＣチップ６ｂと、を含む。フィルム６ｃは光ディスク４の非記憶部４ｂと同様の平面形状を有する。回転時の均等性から、ＩＣタグ６の形状はコイル形状であることが好ましい。ＩＣチップ６ｂは光ディスク４に関する情報を記憶する。ＩＣタグ６は、全体としてディスク状になるように樹脂モールドしたものであってよい。
【００３４】
ＩＣタグ６が貼付された光ディスク４を平面的に見た場合には、ＩＣタグ６が中央孔４ａにはみ出さないように、ＩＣタグ６の内周囲が中央孔４ａの外周囲とほぼ同一またはこの外周囲よりも多少大きくなっている。さらに、光ディスク４を平面的に見た場合には、ＩＣタグ６が記憶部４ｃにはみ出さないように、ＩＣタグ６の外周囲が記憶部４ｃの内周囲とほぼ同一またこの内周囲よりも多少小さくなっている。
【００３５】
図６は、ループアンテナ素子２２ｂと光ディスク４に貼付されたＩＣタグ６との位置関係を示す説明図である。図６は、図１でｘ軸の負側からループアンテナ素子２２ｂおよび光ディスク４を見た場合の正面図である。
【００３６】
ループアンテナ素子２２ｂを大きくすると金属の円環である記憶部４ｃによる反磁界の影響が強まりＩＣタグ６を読み取りにくくなる。一方でループアンテナ素子２２ｂを小さくすると、同じ電流に対して生じる磁界が弱くなり、やはりＩＣタグ６を読み取りにくくなる。そこで図６に示される例では、ループアンテナ素子２２ｂは、光ディスク４の対向する面に投影した写像が光ディスク４の記憶部４ｃと非記憶部４ｂとの境界４ｄを含む仮想的なドーナツ状の領域４ｅに含まれるように形成されている。これにより、ループアンテナ素子２２ｂの製造誤差を考慮しても、ループアンテナ素子２２ｂをＩＣタグ６を読み取るのにより適した大きさとすることができる。
なお、ループアンテナ素子２２ｂが非記憶部４ｂすなわちＩＣタグ６を囲むように形成されると、ＩＣタグ６のほぼ全面がループアンテナ素子２２ｂから放出される電磁波を受けうるのでより好ましい。
また、境界４ｄの直径Ｌ４を約４５（ｍｍ）とするとき、ドーナツ状の領域４ｅの内径Ｌ２を３５（ｍｍ）とし外径Ｌ３を６４（ｍｍ）とすると、読み取り性能を低下させうる上記の２つの影響が拮抗する実用的な範囲としてより好適である。言い換えると、Ｌ３−Ｌ４を１９（ｍｍ）としＬ４−Ｌ２を１０（ｍｍ）とするとより好適である。
本発明者による検討によると、Ｌ３−Ｌ４が１９（ｍｍ）、Ｌ４−Ｌ２が１０（ｍｍ）のとき、矩形のループアンテナ素子２２ｂがドーナツ状の領域４ｅの外周円（直径がＬ３の円）に内接し、かつドーナツ状の領域４ｅの内周円（直径がＬ２の円）に外接するようにループアンテナ素子２２ｂが形成されると読み取り性能が一段と向上しうる。
ループアンテナ素子２２ａ、２２ｃ〜２２ｆについても同様である。
【００３７】
図７は、ループアンテナ素子２２ｂと延伸アンテナ素子２８ｂと隣接素子接続配線２４ｂとの接続関係を示す説明図である。延伸アンテナ素子２８ｂの左側の直線状素子の下部は山折りされ、右側の直線状素子の下部は谷折りされて隣接素子接続配線２４ｂに連結される。
【００３８】
以上のように構成された光ディスク載置棚１０の動作について説明する。ＣＤ／ＤＶＤのレンタルショップに光ディスク載置棚１０が導入されたとする。店員は光ディスク載置棚１０に数多くのＣＤ／ＤＶＤを陳列する。レンタルショップに備え付けられた検索システムは、ＩＣタグリーダと接続されている。利用者から目的のＣＤ／ＤＶＤの貸し出し状況の照会要求を受けた検索システムは、ＩＣタグリーダを用いて光ディスク載置棚１０に載置されているＣＤ／ＤＶＤのＩＣタグ６を一回の給電で読み取る。検索システムはその読み取り結果から目的のＣＤ／ＤＶＤの存否を判定し、利用者に通知する。この際、光ディスク載置棚１０に収容されているＣＤ／ＤＶＤのＩＣタグ６を一回の給電で読み取るので、読み取りに要する時間を短縮できる。したがってレスポンスを速めて検索待ち時間を低減できる。
【００３９】
本実施の形態に係る光ディスク載置棚１０によると、各ループアンテナ素子は隣のループアンテナ素子と流れる電流の極性が揃うように電気的に接続される。したがって、全体的に見るとループアンテナ素子２２ａ〜２２ｆは図２に示す通りひとつのコイル３２の部分であると言える。この構成は光ディスク４が棚板１２上のどこにあるかを示すものではないので、そもそも位置の表示ミス自体が起こりえない。さらに、各ループアンテナ素子２２ａ〜２２ｆに対してシールド材を設ける必要もない。
【００４０】
また、多数の読み取りアンテナを順次切り替えていく方法と比べて、隣接する仕切り板に形成されたループアンテナ素子間の干渉が起こらないのでＩＣタグ６をより確実に読み取ることができる。加えて、一回の給電で棚板１２上に載置された複数の光ディスク４のＩＣタグ６を読み取ることができるので、読み取りがより速くなる。
つまり本実施の形態では、判別できる光ディスク４の位置の最小単位を棚板１２とする代わりに読み取りの確実性および速度を上げている。本発明者の当業者としての経験から、実用上、多くのアプリケーションにおいて後者の方が重要である。
【００４１】
図８は、図１の光ディスク載置棚１０への光ディスクが入ったディスクケース２ａ、２ｂの収容例を示す正面図である。隣り合う仕切り板間のスロットには５（ｍｍ）厚のディスクケース２ａが２つ、もしくは１０（ｍｍ）厚のディスクケース２ｂが１つ収まる。本発明者の実験により、スロットに５（ｍｍ）厚のディスクケース２ａが２つ収まっていてもそれらの光ディスクのＩＣタグを問題なく読み取ることができることが確認された。
【００４２】
実用上スロットの幅は厚い方のディスクケース２ｂを収容できる程度に設定されることが考えられる。その場合、ひとつの光ディスク載置棚１０にできるだけ多くの光ディスクを収納したいという当然の欲求から、利用者が１つのスロットに５（ｍｍ）厚のディスクケース２ａを２つ入れることも考えられる。本実施の形態に係る光ディスク載置棚１０はそのような状況でも確実にかつ素早くＩＣタグを読み取ることができるので、利用者にとっては使い勝手が良く商品価値も高い。
【００４３】
あるいはまた、光ディスク載置棚１０を５（ｍｍ）厚のディスクケース専用とし、各スロットの幅を５（ｍｍ）厚のディスクケースが１つ入る程度の幅、例えば６（ｍｍ）に設定してもよい。
【００４４】
実施の形態に係る光ディスク載置棚１０によると、棚板１２に整然と収納された静置状の光ディスク４の収納状況を１つのアンテナ（コイル３２）で一括読取管理することにより、確実に且つ応答性を向上させた管理システムを提供できる。
【００４５】
以上、実施の形態に係る光ディスク載置棚の構成と動作について説明した。これらの実施の形態は例示であり、それらの各構成要素の組み合わせにいろいろな変形例が可能なこと、またそうした変形例も本発明の範囲にあることは当業者に理解されるところである。
【００４６】
実施の形態では、棚板１２と仕切り板１８ａ〜１８ｆとが一体に形成される場合について説明したが、これに限られず、それらは別体として形成されてもよい。特に棚板に仕切り板を取り付けるためのガイドを設け、仕切り板がガイドの所定位置に収まった場合に仕切り板のループアンテナ素子および延伸アンテナ素子と、棚板の隣接素子接続配線とが電気的に接続される構成とされてもよい。この場合、必要に応じて仕切り板の数を増減できる。
【００４７】
実施の形態では、光ディスク載置棚１０のアプリケーションの一例としてレンタルショップの検索システムで使用される場合について説明したが、これに限られない。例えば、光ディスク載置棚１０は監視カメラと共に使用されてもよい。
図９は、重要記録の保存室４４に光ディスク載置棚１０が適用された場合を説明するための説明図である。保存室４４は、会社の機密資料などの重要記録が記録されたＣＤやＤＶＤを保管しておく部屋である。保存室４４は、監視カメラ４２と、実施の形態に係る光ディスク載置棚１０と、ＩＣタグリーダ８と、を備える。光ディスク載置棚１０にＣＤやＤＶＤが収容される。ＩＣタグリーダ８は光ディスク載置棚１０の第１および第２給電端子間に給電して光ディスク載置棚１０に載置されているＣＤやＤＶＤのＩＣタグを一括して読み取る。監視カメラ４２は光ディスク載置棚１０付近に向けられている。画像データの記憶容量削減の観点から通常は監視カメラ４２はオフとされている。
【００４８】
保存室４４の内または外に設けられる制御部４０は、ＩＣタグリーダ８および監視カメラ４２と有線または無線により接続される。制御部４０は、定期的に、例えば１秒間隔で、光ディスク載置棚１０に載置されているＣＤやＤＶＤのＩＣタグをＩＣタグリーダ８に読み取らせる。制御部４０はＩＣタグリーダ８から読み取り結果を受ける。制御部４０は受けた読み取り結果とそれより前の読み取り結果とを比較し、読み取られたＩＣタグの数が減っているか否かを判定する。減っていると判定された場合、制御部４０は監視カメラ４２に光ディスク載置棚１０付近を撮像させる。その画像は図示せぬ記憶装置に記録される。また、減っていると判定された場合、制御部４０は保存室４４に備え付けられた図示せぬ警報装置を起動してもよい。
【００４９】
これにより、例えば予期せぬ侵入者４６が光ディスク載置棚１０からＣＤやＤＶＤを抜き取ったとしても素早く監視カメラ４２を起動して侵入者４６を撮像できる。特に実施の形態に係る光ディスク載置棚１０では従来と比較して読み取り時間が低減されうるのでより好適である。
【００５０】
また、実施の形態に係る光ディスク載置棚１０は、光ディスク管理用の読取装置（スキャン式）にも適用できる。
【００５１】
実施の形態ではループアンテナ素子の形状が矩形の場合について説明したが、これに限られず、円形や楕円形等であってもよく、その形状に制限はない。また、実施の形態ではループアンテナ素子は一巻きのループである場合について説明したが、これに限られず、ループの巻数に制限はない。また、実施の形態では光ディスク載置棚１０に６つの仕切り板が設けられる場合について説明したが、これに限られず、仕切り板は棚板１２の間口方向の幅が許す限りいくつ設けてもよい。
【００５２】
実施の形態では、ループアンテナ素子を棚板１２に設けられた配線と接続する場合について説明したが、これに限られない。例えば、ループアンテナ素子同士を接続するための配線を背面板に設けてもよい。図１０は、変形例に係るループアンテナ素子４８と光ディスク４に貼付されたＩＣタグ６との位置関係を示す説明図である。図１０は図６に対応する。ループアンテナ素子４８は延伸アンテナ素子５０を通じて背面板に設けられた隣接素子接続配線に接続される。
【００５３】
以上、実施の形態にもとづき本発明を説明したが、実施の形態は、本発明の原理、応用を示しているにすぎないことはいうまでもなく、実施の形態には、請求の範囲に規定された本発明の思想を逸脱しない範囲において、多くの変形例や配置の変更が可能であることはいうまでもない。
【符号の説明】
【００５４】
２  ディスクケース、  ４  光ディスク、  ４ｂ  非記憶部、  ４ｃ  記憶部、  ６  ＩＣタグ、  １０  光ディスク載置棚、  １２  棚板、  １８ａ〜１８ｆ  仕切り板、  ２０ａ〜２０ｅ  ストッパ、  ２２ａ〜２２ｆ  ループアンテナ素子。
【図１】
2011165293.tif 000003
【図２】
2011165293.tif 000004
【図３】
2011165293.tif 000005
【図４】
2011165293.tif 000006
【図５】
2011165293.tif 000007
【図６】
2011165293.tif 000008
【図７】
2011165293.tif 000009
【図８】
2011165293.tif 000010
【図９】
2011165293.tif 000011
【図１０】
2011165293.tif 000012